(57)【要約】【課題】人が天板の上に乗って作業をする時に、足を常に天板の前後方向中央部に置くように仕向け、それにより体の重心を天板の外周範囲内に位置させるようにして、踏台からの足の踏み外しを無くし、作業の安全性を確保し得る踏台を提供する。【解決手段】前後一対の梯子状脚体１，１の頂部に天板２を設けてなる踏台において、天板２の上面は、前後方向中央部に人Ｍの足裏の土踏まずＡが位置するようにその中央部が凸面状に形成されている。【選択図】図４
2006144252.tif 000002
【特許請求の範囲】
【請求項１】
前後一対の梯子状脚体の頂部に天板を設けてなる踏台において、天板の上面は、その前後方向中央部に人の足裏の土踏まずが位置するように該中央部が凸面状に形成されていることを特徴とする踏台。
【請求項２】
天板の上面は、その前後方向中央部に人の足裏の土踏まずが位置するように該中央部が凸面状に形成され且つその前後両端部に足裏の爪先部及び踵部が位置するように該両端部が夫々凹面状に形成されていることを特徴とする請求項１に記載の踏台。
【請求項３】
各梯子状脚体は左右一対の支柱と両支柱間に横架された踏桟とからなるもので、各踏桟の上面は、前後両端部よりも中間部が高い緩やかな凸面状に形成されていることを特徴とする請求項１又は２に記載の踏台。
【請求項４】
天板は、前後に二分割されて、対向端部どうしが枢着される前後一対の半割体からなるもので、両半割体は両梯子状脚体の夫々上端部に取り付けられることを特徴とする請求項１〜３の何れかに記載の踏台。
【発明の詳細な説明】
【技術分野】
【０００１】
本発明は、前後一対の梯子状脚体の頂部に平板状の天板を設けてなる踏台に関するもので、例えば、家庭の主婦が室内の高い所にある物を取るときなどに素足で乗って使用する踏台に関する。
【背景技術】
【０００２】
従来の踏台として、特許公報等の公知文献を具体的に挙げることはできないが、従来より使用されている踏台は、前後一対の梯子状脚体の頂部に平板状の天板を設けてなるもので、前後一対の梯子状脚体は、通常は、両脚体の上端部が枢着されていて、両脚体の下端側が閉じるように折り畳まれる閉脚姿勢と、両脚体の下端側が開いた開脚姿勢とに姿勢変更可能な折り畳み式構造となっている。
【発明の開示】
【発明が解決しようとする課題】
【０００３】
従来の踏台によると、天板の上面が水平面状となっていることから、踏台を使用する人は、使用中はどうしても体が天板の外側へ乗り出すため足を天板の前後方向中央部よりもその端部に足を置く傾向にあって、体の重心が天板の外周範囲の外に位置することが多く、而して重心が天板の外に位置すると、天板上での人の体勢が非常に不安定となって体のバランスを崩し、踏台から足を踏み外して落下転倒する危険性がある。
【０００４】
本発明は、上記のような課題に鑑み、人が天板の上に足を乗せた時に、その人の足を常に天板の前後方向中央部に置くように仕向け、それにより体の重心を天板の外周範囲内に位置させるようにして、踏台からの足の踏み外しを無くし、作業の安全性を確保し得るようにした踏台を提供することを目的とする。
【課題を解決するための手段】
【０００５】
上記課題を解決するための手段を、後述する実施形態の参照符号を付して説明すると、請求項１に係る発明は、前後一対の梯子状脚体１，１の頂部に天板２を設けてなる踏台において、天板２の上面は、その前後方向中央部に人Ｍの足裏の土踏まずＡが位置するように該中央部が凸面状に形成されていることを特徴とする。
【０００６】
請求項２は、請求項１に記載の踏台において、天板２の上面は、その前後方向中央部に人Ｍの足裏の土踏まずＡが位置するように該中央部が凸面状に形成され且つその前後両端部に足裏の爪先部Ｂ及び踵部Ｃが位置するように該両端部が夫々凹面状に形成されていることを特徴とする。
【０００７】
請求項３は、請求項１又は２に記載の踏台において、各梯子状脚体１は左右一対の支柱６，６と両支柱６，６間に横架された踏桟７とからなるもので、各踏桟７の上面は、前後両端部よりも中間部が高い緩やかな凸面状に形成されていることを特徴とする。
【０００８】
請求項４は、請求項１〜３の何れかに記載の踏台において、天板２は、前後に二分割されて、対向端部どうしが枢着される前後一対の半割体２ａ、２ｂからなるもので、両半割体２ａ、２ｂが両梯子状脚体１，１の夫々上端部に取り付けられることを特徴とする。
【発明の効果】
【０００９】
上記解決手段による発明の効果を、後述する実施形態の参照符号を付して説明すると、踏台は天板２に素足で乗る台であることから、天板２の上面は前後方向中央部に人Ｍの足裏の土踏まずＡが位置するようにその中央部が凸面状に形成されていることにより、人Ｍは、天板２の端部側には乗りにくく、必然的に天板２の前後方向中央部に足を置くことになって、自然に体の重心Ｇが天板２の外周範囲内に位置するようになり、それにより安定した状態での作業体勢を維持できて、踏台からの足の踏み外しを無くし、作業の安全性を確保できる。
【００１０】
請求項２に係る発明の踏台によれば、天板２の上面は、その前後方向中央部に人Ｍの足裏の土踏まずＡが位置するように中央部が凸面状に形成され且つその前後両端部に足裏の爪先部Ｂ及び踵部Ｃが位置するように両端部が夫々凹面状に形成されているから、人Ｍが天板２に上がって作業をする際に、人Ｍの左右各足裏の土踏まずＡが天板２の前後方向中央部の凸面部３に位置し、足裏の爪先部Ｂと踵部Ｃとが両端部の凹面部４，４に夫々位置することにより、人Ｍの足裏全体が天板２上に保持された極めて安定な状態となって、人Ｍは安定度の高い作業を行うことができる。
【００１１】
請求項３に係る発明によれば、人Ｍが梯子状脚体１の踏桟７に足を掛ける時に、足裏の土踏まずＡを踏桟７の凸面部に位置させることにより、安定状態で踏桟７に足を掛けることができて梯子状脚体１を安全に昇降できると共に、足裏の土踏まずＡの柔らかい感覚で心地よく昇降することができる。
【００１２】
請求項４に係る発明によれば、両梯子状脚体１，１が閉脚姿勢と開脚姿勢とに姿勢変更可能な折り畳み式踏台の天板２を簡単容易に製作でき、そのコストの低廉化を図ることができる。
【発明を実施するための最良の形態】
【００１３】
図１は本発明に係る踏台を示す斜視図であり、図２の(a) は踏台の正面図、(b) は側面図、(c) は折り畳んだ状態の側面図である。また図３の(a) は天板２を構成する両半割体２ａ、２ｂを互いに切り離した状態の側面図、(b) は両半割体２ａ、２ｂを連結して両梯子状脚体１，１が開脚姿勢にある状態での両半割体２ａ、２ｂの側面図、(c) は両梯子状脚体１，１が閉脚姿勢にある状態での両半割体２ａ、２ｂの側面図である。図４は踏台の天板２の作用を示す説明図、図５は踏桟７の拡大側面図であり、また図６は踏台の使用状態を示す説明図である。
【００１４】
この踏台は、前後一対の梯子状脚体１，１の頂部に天板２を設けてなるもので、天板２の上面は、図４から分かるように、前後方向中央部に人Ｍの足裏の土踏まずＡが位置するようにその中央部が凸面状に形成されていると共に、前後両端部に足裏の爪先部Ｂ及び踵部Ｃが位置するようにその両端部が夫々凹面状に形成されている。尚、前後両端部の凹面部４，４は夫々同じ形状であって、足裏の爪先部Ｂ及び踵部Ｃは、前後何れの凹面部４にも対応するようになっている。天板２は、前後に二分割されて、対向端部どうしが枢着される前後一対の半割体２ａ、２ｂからなるもので、両半割体２ａ、２ｂは両梯子状脚体１，１の夫々上端部に取り付け固定されている。
【００１５】
前後一対の梯子状脚体１，１は、夫々の上端部に取り付け固定された天板２の両半割体２ａ、２ｂが互いに枢着されていると共に、左右両側一対のリンク機構５，５により、図２の(a) に示すように両脚体１，１の下端側が逆Ｖ字形に開いた開脚姿勢と、図２の(c)
に示すように両脚体１，１の下端側が閉じて両脚体１，１が略平行に重なるように折り畳まれる閉脚姿勢とに姿勢変更自在となっている。
【００１６】
各梯子状脚体１は、図２の(a) に示すように下部側が若干拡幅するように略々ハの字状に配置される左右一対の支柱６，６間に踏桟７を複数段にわたって横架してなるもので、各踏桟７の上面は、前後両端部よりも中間部が高い緩やかな凸面状に形成されている。
【００１７】
天板２を構成する一対の半割体２ａ、２ｂは、図３の(a) に示すように、夫々アルミ押出型材からなるもので、一方の半割体２ａは、凸面部３の片側半分である凸面部分３ｏ及び凹面部４を形成した天板本体部８と、脚体１の支柱６の上端部に嵌合される取付部９と、凸面部分３ｏの端部に設けられた枢軸形成用の径大筒部１０ａとからなり、また他方の半割体２ｂは、同じく凸面部３の片側半分である凸面部分３ｏ及び凹面部４を形成した天板本体部８と、脚体１の支柱６の上端部に嵌合される取付部９と、凸面部分３ｏの端部に設けられた枢軸形成用の径小筒部１０ｂとから構成される。
【００１８】
而して、両半割体２ａ、２ｂを枢支連結するには、両半割体２ａ、２ｂを図３の(a) に示す状態から互いに左右方向にずらし、一方の半割体２ａの径大筒部１０ａに他方の半割体２ｂの径小筒部１０ｂを嵌挿すればよく、それにより一方の半割体２ａの径大筒部１０ａと他方の半割体２ａの径大筒部１０ｂとが図３の(b) に示すように同心状に互いに回転可能に連結された枢軸Ｔを形成する。この図３の(b) は互いに連結された両半割体２ａ、２ｂを開脚姿勢にした状態を示し、図３の(c) は両半割体２ａ、２ｂを折り畳んで閉脚姿勢にした状態を示す。
【００１９】
上記のように両半割体２ａ、２ｂの対向端部どうしを枢軸Ｔを介して枢着することにより、図３の(b) ，(c) に示すような天板２が形成され、而して(b) に示す開脚姿勢において、この天板２の上面は、前後両端部が凹面部４，４となり、前後両凹面部４，４の中間部が凸面部３となる。こうして形成される天板２は、各半割体２ａ、２ｂの取付部９の長手方向両端部を梯子状脚体１の左右両支柱６，６に嵌合させてリベットＲ結合することにより、脚体１に取り付けられる。このように、天板２は前後に二分割されて対向端部どうしが枢着される前後一対の半割体２ａ、２ｂからなるもので、両半割体２ａ、２ｂが両梯子状脚体１，１の夫々上端部に取り付けられるようになっているから、閉脚姿勢と開脚姿勢とに姿勢変更可能な折り畳み式踏台の天板２を簡単容易に製作でき、そのコストの低廉化を図ることができる。
【００２０】
また図３の(a) 〜(c) に示すように、天板２を形成する各半割体２ａ、２ｂの上面には左右方向に延びる滑り止め用突条１１が前後方向に間隔をおいて複数形成されている。
【００２１】
各梯子状脚体１の踏桟７もアルミ押出型材からなるもので、図５に示すように、踏桟本体部１５と取付部１６とからなり、踏面となる踏桟本体部１５の上面は、その前後方向中間部が前後両端部よりも高い緩やかな凸面状に形成されていると共に、天板２の半割体２ａ、２ｂと同様に左右方向に延びる滑り止め用突条１２が前後方向に間隔をおいて複数条形成されている。取付部１６は、踏桟長手方向両端部を梯子状脚体１の左右両支柱６，６に嵌合させてリベット結合することにより取り付けられる。
【００２２】
また、図１に概略示すように、天板２を形成する各半割体２ａ、２ｂの左右両端部にはプラスチック製の端部カバー１３が嵌着され、また各梯子状脚体１にも各踏桟７の左右両端部にプラスチック製の端部カバー１４が嵌着されている。
【００２３】
上記のように構成される踏台の使用にあたり、例えば図６に示すように家庭の主婦が押し入れの高い所にある物入れの引き戸１７を開閉して物を出し入れするような場合には、人（主婦）Ｍが素足で同図に示される踏台に手前側から梯子状脚体１の踏桟７に足を掛けて天板２に登ると、この天板２の上面は、前後方向中央部に人Ｍの足裏の土踏まずＡが位置するようにその中央部が凸面状に形成されているから、人Ｍは、天板２の端部側には乗りにくく、必然的に天板中央部の凸面部３に足を置くことになって、図６に示すように、自然に体の重心Ｇが天板２の外周範囲内に位置するようになり、それにより安定した状態での作業体勢を維持できて、踏台からの足の踏み外しを無くし、作業の安全性を確保することができる。
【００２４】
そして特にこの天板２の上面は、前後方向中央部に人Ｍの足裏の土踏まずＡが位置するように中央部が凸面状に形成され且つその前後両端部に足裏の爪先部Ｂ及び踵部Ｃが位置するように両端部が夫々凹面状に形成されているから、人Ｍが天板２に上がって作業をする際には、図４に示すように、人Ｍの左右各足裏の土踏まずＡが天板２の前後方向中間部の凸面部３に位置し、足裏の爪先部Ｂと踵部Ｃとが両端部の凹面部４，４に夫々位置することにより、人Ｍの足裏全体が天板２上に保持された極めて安定な状態となって、人Ｍは、安定度の高い作業を行うことができる。
【００２５】
また踏台使用時の事故は天板２上で体のバランスを崩すことによる場合が多く、而してその過程にあと少しの高さを確保するために爪先立ち状態になることが多いが、天板２の上面が上記のような凹凸面状に形成されているから、人Ｍはその爪先立ち行為を行い難く、自然に安定した状態での作業姿勢をとることになって、体の重心Ｇを天板２の外周範囲内に位置させ、踏台からの足の踏み外しが無く、作業の安全性が確保される。
【００２６】
また、各踏桟７の上面（踏桟本体部１５の上面）が凸面状に形成されていることから、人Ｍが梯子状脚体１の踏桟７に足を掛ける時に、足裏の土踏まずＡを踏桟７の凸面部に位置させることにより、安定状態で踏桟７に足を掛けることができて梯子状脚体１を安全に昇降できると共に、足裏の土踏まずＡの柔らかい感覚で心地よく昇降できる。
【図面の簡単な説明】
【００２７】
【図１】本発明に係る踏台を示す斜視図である。
【図２】(a) は踏台の正面図、(b) は側面図、(c) は折り畳んだ状態の側面図である。
【図３】(a) は天板を構成する両半割体を互いに切り離した状態の側面図、(b) は両半割体を連結して両脚体が開脚姿勢にある状態での両半割体の側面図、(c) は両脚体が閉脚姿勢にある状態での両半割体の側面図である。
【図４】踏台の天板の作用を示す説明図である。
【図５】踏桟の拡大側面図である。
【図６】踏台の使用状態を示す説明図である。
【符号の説明】
【００２８】
１          梯子状脚体
２          天板
２ａ、２ｂ  半割体
３          凸面部
４          凹面部
６          支柱
７          踏桟
Ｍ          人
Ａ          人の足裏の土踏まず
Ｂ          人の足裏の爪先部
Ｃ          人の足裏の踵部
Ｗ          天板の外周範囲
【図１】
2006144252.tif 000003
【図２】
2006144252.tif 000004
【図３】
2006144252.tif 000005
【図４】
2006144252.tif 000006
【図５】
2006144252.tif 000007
【図６】
2006144252.tif 000008